(57)【特許請求の範囲】
【請求項１】
組織を充填するため、または組織の体積を増加するための、ヒトまたは動物の体内に注射することができる、または埋め込むことができる製剤であって、生理的ｐＨにおいて不溶性で、生体適合性で、そして無菌であるグロビンを含む製剤。
【請求項２】
前記製剤がペースト状である、請求項１に記載の製剤。
【請求項３】
前記製剤が固形である、請求項１に記載の製剤。
【請求項４】
前記グロビンが、ヒト由来のグロビンである、請求項１〜３のいずれか１項に記載の製剤。
【請求項５】
前記製剤中のグロビンが、沈殿した状態である、請求項１〜４のいずれか１項に記載の製剤。
【請求項６】
均一化されたグロビンを含む、請求項１〜５のいずれか１項に記載の注射可能製剤。
【請求項７】
前記グロビンが、注射可能な均一化されたペースト剤の形である、請求項６に記載の製剤。
【請求項８】
前記均一化されたペーストが、皮下注射針を介して注射することができる、請求項６または請求項７に記載の製剤。
【請求項９】
前記注射可能製剤中のグロビンの濃度が、３０ｍｇ／ｇ〜１５０ｍｇ／ｇである、請求項６〜８のいずれか１項に記載の製剤。
【請求項１０】
前記製剤のｐＨが中性である、請求項６〜９のいずれか１項に記載の製剤。
【請求項１１】
前記製剤のｐＨが６．８〜７．５である、請求項５に記載の製剤。
【請求項１２】
前記グロビンが、薬学的に許容しうるビヒクル中の懸濁状態にある、請求項１〜１１のいずれか１項に記載の製剤。
【請求項１３】
前記グロビンが、薬学的に許容しうる液体ビヒクル中、酸性または塩基性のｐＨで溶液状態にある、請求項１に記載の製剤。
【請求項１４】
前記グロビンの濃度が２０〜３００ｍｇ／ｍｌである、請求項１３に記載の製剤。
【請求項１５】
前記グロビンが、ゲルの形の製剤中に存在している、請求項１〜４のいずれか１項に記載の製剤。
【請求項１６】
潤滑剤を更に含む、請求項１〜１５のいずれか１項に記載の製剤。
【請求項１７】
前記潤滑剤が、トリグリセリド類、ポリエチレングリコール、酸化セルロース、または多糖類若しくはムコ多糖類、の溶液より選択される、請求項１６に記載の製剤。
【請求項１８】
前記潤滑剤が、ヒアルロネートまたはヒアルロン酸の溶液である、請求項１６に記載の製剤。
【請求項１９】
グロビン薄膜を含むまたはグロビン薄膜から成る、請求項１〜３のいずれか１項に記載の製剤であって、該製剤が、薄膜形成剤を含有していてもよい製剤。
【請求項２０】
前記薄膜形成剤が、コラーゲン、ゼラチン、ヒアルロネート、ヒアルロン酸、酸化セルロース、ポリエチレングリコール及びグリセロールから選択される、請求項１９に記載の製剤。
【請求項２１】
前記薄膜が、ゲルまたは溶液の脱水によって得られたものである、請求項１９に記載の製剤。
【請求項２２】
前記製剤が薄膜であり、該薄膜が、血管プロテーゼ、補強格子、メッシュまたは多孔性マトリックスを含むプロテーゼに関連している、請求項１９〜２１のいずれか１項に記載の製剤。
【請求項２３】
固形埋め込み剤の形で製造されている、請求項１〜３のいずれか１項に記載の製剤。
【請求項２４】
スポンジまたは顆粒剤の形で製造されている、請求項１〜３のいずれか１項に記載の製剤。
【請求項２５】
次の活性成分：治癒用製品、増殖因子、抗生物質、の少なくとも一つを更に含有する、請求項１〜２４のいずれか１項に記載の製剤。
【請求項２６】
リン酸カルシウム、炭酸カルシウム、ヒドロキシアパタイト及び増殖因子からなる群から選択される成分を更に含有する、請求項１〜２４のいずれか１項に記載の製剤。
【請求項２７】
細胞を含有する、請求項１〜２６のいずれか１項に記載の製剤。
【請求項２８】
前記細胞が、注射または埋め込みの前に、培養支持物質としての製剤のグロビンを用いて培養された細胞である、請求項２７に記載の製剤。
【請求項２９】
前記細胞が、皮膚線維芽細胞、軟骨細胞、骨芽細胞または幹細胞から選択される、請求項２７または請求項２８に記載の製剤。
【請求項３０】
前記製剤が、シリンジ中で、５〜３０キログレイの線量での照射によって滅菌される、請求項２〜９のいずれか１項に記載の製剤。
【請求項３１】
前記薄膜が、照射による減菌を受けた、請求項１９〜２２のいずれか１項に記載の製剤。
【請求項３２】
前記グロビンを主成分として含む、請求項１〜３１のいずれか１項に記載の製剤。
【請求項３３】
皮膚の腔、しわ、欠損または瘢痕、および骨または軟骨の小腔および破損を充填するための材料である、請求項１〜３２のいずれか１項に記載の製剤。
【請求項３４】
骨または軟骨の欠損を充填するための材料である、請求項１〜３２のいずれか１項に記載の製剤。
【請求項３５】
括約筋を増強するための材料である、請求項１〜３２のいずれか１項に記載の製剤。
【請求項３６】
皮膚瘢痕形成用または治癒用材料である、請求項１〜３２のいずれか１項に記載の製剤。
【請求項３７】
軟骨または骨の瘢痕形成用または治癒用材料である、請求項１〜３２のいずれか１項に記載の製剤。
【請求項３８】
外科的または非外科的な外部または内部の創傷または瘢痕の保護および／または隔離用の薄膜および／または圧定布である、請求項１９〜３１のいずれか１項に記載の製剤。
【請求項３９】
プロテーゼへの関連のための薄膜である、請求項１９〜３１のいずれか１項に記載の製剤。
【請求項４０】
前記プロテーゼが、血管プロテーゼ、補強格子、メッシュまたは多孔性マトリックスから選択される、請求項３９に記載の製剤。
【請求項４１】
経皮的動脈創傷用の止血栓を形成することを意図した材料である、請求項１に記載の製剤。
【請求項４２】
患者のための材料である製剤であって、グロビンが該患者の血液試料から製造される、請求項１〜４１のいずれか１項に記載の製剤。
【発明の詳細な説明】
【発明の詳細な説明】
【０００１】
本発明の目的は、ヒトへの投与に有用であるグロビン製剤を提供することである。これら製剤は、具体的には、注射可能なペースト剤または埋め込み可能な固形材料、または埋め込み剤の形であってよい。
【０００２】
コラーゲンの多数の医学的用途は、例えば、充填用のペースト剤であれ、薄膜または圧定布のような流動または固形製剤の形であれ、多様な埋め込み剤の形であれ、既に記載されてきている。実際には、動物コラーゲンだけが、一般的に用いられている。
【０００３】
ヒトコラーゲンの製剤は、動物コラーゲンより好ましいと考えられ、ヒト皮膚組織由来が考えられうる。しかしながら、それは、ヒト組織試料を死体から得ることが、かなりの倫理的問題を提起するし、しかも感染症、ウイルス性疾患または類似の疾患の伝播の危険を排除するために高価な試験を必要とすることから、きわめて難しい。胎盤からのヒトコラーゲンの製剤は、高価で、複雑で、しかも組織化することが困難である。遺伝的組換えまたは細胞培養の最新の方法によるヒトコラーゲンの製剤も、きわめて高価であり、それが、この製品の商業的開発を確実に損なうと考えられる。
【０００４】
グロビンは、ヘモグロビンを構成しているタンパク質であり、それ自体、ヘムと各々結合した４個のペプチド鎖（２個のα鎖および２個のβ鎖）を含有する。そのヘムは、１個の陽電荷鉄原子を含有するテトラピロール構造から成る。ヘモグロビンの赤色の原因となる、１分子につき４個のヘムが存在する。
【０００５】
グロビンを製造する方法は、きわめて長期間知られてきたが、食餌用途を目的として、または注射可能医薬液剤を製造するために開発されてきた。
生理的ｐＨにおいて完全に可溶性であるヘモグロビンとは異なり、グロビンは、同じ条件下において著しく不溶性である。生理的条件下におけるグロビンのこの不溶性の性状は、これまでのところ、その医薬用途の開発を損なってきた。この理由のために、大部分の実験は、生理的ｐＨにおいて可溶性であるグロビン誘導体を製造することを探求してきた。具体的には、無水コハク酸を用いたスクシニル化によって、または無水酢酸を用いたアセチル化によって、またはグロビンの陰電荷を増加させ且つその等電点ｐＨを低減させるアルカリ性ｐＨにおけるアミド官能基の加水分解によって、生理的ｐＨにおいて可溶性であるグロビン誘導体を製造することを探求してきた。酸グロビンの可溶性製剤をインスリンと組み合わせた注射可能製品は、開発され、特許化され、市販されてきた（Reiner (1939); Reiner et al. (1939)）。それは、注射後、この複合体からのインスリンの漸次送達を可能にする（Rabinowitch et al. (1947); Berg et al. (1953)）。グロビンは、この製品の活性要素でも主な要素でもない。
【０００６】
本発明は、新規な材料および注射可能製剤または生体中に埋め込み可能である製剤であって、グロビンが主な活性要素であり、しかも既知の材料および製剤、例えば、コラーゲンまたは類似のものの欠点を有していない材料および製剤を提供することを考えている。
【０００７】
本発明の主題は、生理的ｐＨにおいて不溶性で、生体適合性で、無菌であり、そして好ましくは、生分解性であるグロビンのペースト状または固形の製剤、具体的には、注射可能ペースト剤、固形材料、例えば、顆粒剤または薄膜、または不溶性埋め込み剤の形の製剤である。
【０００８】
本発明は、中性ｐＨにおけるグロビンの自然の不溶性性状を、例えば、薬学的に許容しうるビヒクル、例えば、９ｇ／ｌのＮａＣｌを含有し且つ６．８〜７．５の中性ｐＨで緩衝化されたＰＢＳタイプの生理的水溶液中のグロビンのタンパク質沈殿物の懸濁によって形成されるこの沈殿物の採取、遠心分離、によって保存することを考えている。このように形成されるペースト剤は、均一化後に微細針を用いて注射可能である。このペースト剤は、トリグリセリド類、ポリエチレングリコール、ヒアルロネート、具体的には、ヒアルロン酸ナトリウム、ヒアルロン酸、または他の多糖類またはムコ多糖類、または酸化セルロースの溶液などの粘性物質および潤滑剤の存在下で製造することができる。このような添加剤は、最も微細な針（３０ｇ直径）へのペースト状沈殿物の通過および皮内埋め込み剤としてのその注射を容易にする。
【０００９】
この製品の独創性および利点は、それが、注射される周囲組織と完全に生体適合性であるタンパク質ペースト剤であるということにある。このタンパク質は、変更も化学修飾もされておらず、そして、それが生理的環境中にある時点から本来、不溶性である。ヒトグロビンのタンパク質ペースト剤は、ヒトの場合、皮膚の腔、しわまたは瘢痕に充填する、またはある種の組織（泌尿器または消化器の括約筋、声帯等）の体積を増加させるために用いることができる。このペースト剤は、骨または軟骨の欠損に充填するのに、およびその瘢痕形成を容易にするのに用いることができる。不溶性グロビンの粒子は、動物またはヒトの細胞培養に用いることもできる。陰電荷を有するそれら細胞は、陽電荷のグロビン粒子の表面に付着し、それら表面において増殖する。更に、その支持物質グロビンの、それを漸次消化する細胞と接触した状態での漸次分解は、これまで用いられている液状培地を補足するまたはそれに代わるものである栄養手段をそれら細胞に与えることができる。
【００１０】
したがって、このグロビンペースト剤によって可能になる充填用途は、数多くあり、このタンパク質について予想外である。
相同的ヒトグロビンは、好ましく、しかも処置される患者による注射中または注射後のいずれの免疫反応も免れることを可能にする。したがって、この製品は、これまでは動物皮膚（子ウシ、ブタ等）から製造されていて、そして患者の免疫反応を免れるために多数の予防措置および条件を必要とするコラーゲンに対して、かなりの利点を示す。
【００１１】
・各々の患者を、その動物コラーゲンに対するアレルギーの可能性について調べる必要性。
・アレルギー性個体を処置する不可能性。
【００１２】
しかしながら、グロビンは、酸性または塩基性のｐＨにおいて可溶性のままであり、これら条件下において、多孔性メンブランを介して滅菌濾過することができる。２０〜３００ｍｇ／ｍｌの適する濃度について、このような溶液は、タンパク質溶液のように処理することができるので、スポンジ、薄膜または顆粒剤のような製品を、乾燥、凍結乾燥、架橋および沈殿の技法を用いてまたは組み合わせて製造することを可能にする。若干の実施例を以下に展開する。
【００１３】
グロビンは、動物またはヒトの血液に由来する赤血球から精製することが容易である。ヒト赤血球は、貯蔵寿命を過ぎていて、輸血センターに在庫として残っている、しかも試料採取時に全ての事前健康検査が行われた献血品から十分な量で入手可能である。不溶性の注射可能グロビンまたは他のグロビンに基づく生体材料の製剤は、したがって、未使用の血液または貯蔵寿命を過ぎた献血品を回収することおよびそれらの破壊を免れるまたは減少させることを可能にする新規な生物医学的用途を示す。
【００１４】
本発明は、更に、処置される患者から得られた約５〜１００ｍｌの血液試料を用い、そしてそれを、大容量の場合と同じ方法で自己（autologous）グロビンへと変換後、同じ患者のしわの補正のためにまたは長期創傷治癒などの他の用途のために、得られたペースト剤を注射して実施することができる。患者からの試料を用いて製造されるシリンジの数は、かなりのものであってよく、その患者を数年間処置することを可能にすることができる。
【００１５】
同様に、分娩後に出されるヒト胎盤は、一般的には焼却によって破壊される血液を含有するが、それも、本発明に用いることができる。
ドナーからの血液バッグは、輸血機関により、種々のウイルスおよび他の伝染性物質についての生化学的、細菌学的および血清学的検査およびスクリーニング試験によって公式に管理される。胎盤血液の場合、臍帯からまたは母親からの血液試料について同じ検査を実施後、この出発物質から血液を集め、保存し、そして抽出することが明らかに必要であると考えられる。自己血液については、実施する試験を簡単にすることができる。
【００１６】
本発明の実施は、最初に、これら血液試料または流動血液中の赤血球を、既に知られている簡単な操作によって採取することおよび精製することを必要とする。それら赤血球は、低速遠心分離によって回収される。血漿上澄みを分離し、そして９ｇ／ｌのＮａＣｌを含有し且つ中性ｐＨで緩衝化されたＰＢＳタイプの生理的食塩液で置き換える。
【００１７】
数回洗浄（３〜５回）後、このように、血漿タンパク質を赤血球懸濁液から取り出す。血球細胞膜の溶解を引き起こし且つヘモグロビンを溶液中に放出する浸透圧ショック行うために、１または２容量の蒸留水を、精製された赤血球のペレットに加え、濃縮し、精製する。高速遠心分離工程（１０〜２００００ｒｐｍ）は、ペレット中の膜・細胞破片を除去することを可能にする。０．２ミクロンの多孔度を有するメンブランを介する上澄みの濾過から成る最終工程は、組織、細胞または膜由来の粒子および誘導体を含まない、精製された且つ無菌のヘモグロビン溶液を製造することを可能にする。
【００１８】
酸性ｐＨでのヘム−グロビン開裂は、Schulz により、１８９８年のような早期に、アルコールの存在下で記録された。１９３０年に Anson and Mirsky、そしてその後、１９５８年に Rossi-Fanelli et al. は、０℃において酸の存在下でアセトンを用いた。Teale (1957) は、アセトンに代わるメチルエチルケトンの使用を選択した。Autio et al. (1984) は、可溶性カルボキシメチルセルロースと一緒のヘムの吸収および沈殿によって酸性ｐＨでグロビンを分離した。このように分離されたグロビンは、酸性またはアルカリ性ｐＨで可溶性であるが、その水溶液のｐＨが、ｐＨ６〜８へと中和されるとすぐに、不溶性になる。
【００１９】
中性ｐＨでの可溶化実験は、Strumia et al. により、１９５１年および１９５２年に、アスパラギン酸およびグルタミン酸へとそれぞれ変換されるアスパラギン残基およびグルタミン残基におけるグロビンの部分脱アミドを引き起こす長時間のアルカリ性処理（Vars, 1952）を用いて行われた。他の可溶化実験は、Volckmann により、１９８８年に、スクシニル化によって行われた。
【００２０】
生理的基剤中に不溶性の性状は、組織埋め込み後のグロビンの持続性を説明するが、それは更に、特に、注射される量がかなりである場合であって、充填用途または組織増強用途の場合に、グロビンを酵素的分解に耐性にする。
【００２１】
もう一方において、大部分の他のタンパク質は、高濃度の塩類またはアルコールによって沈殿しうるにすぎないが、それは、それら沈殿物を、組織内注射に生体不適合性で且つ使用不能にするであろう。更に、このような埋め込み剤は、組織の生理的基剤との接触で、沈殿剤の拡散および沈殿物の漸次溶解によってきわめて速やかに消失するであろう。
【００２２】
本発明の利点は、ウサギグロビンの製剤を用いて容易に示すことができる。このように製造される生理的な沈殿したグロビンペースト剤は、ウサギの背部または側部のいろいろな場所に皮下注射することができる。局所紅斑の不存在によって無害を示すことは容易である。皮膚下のその製品の持続性は、触診によって時間の関数として観察することができる。その製品の抗原性能の不存在は、ウサギの皮下および筋肉内免疫感作によって、フロイントアジュバントを用いてまたは用いることなく示すことができる。免疫感作後に得られる血液試料は、慣用的な対照試験を用いて、抗グロビン抗体または抗ヘモグロビン抗体の不存在を示すことを可能にする。
【００２３】
本発明による製品の製造例
実施例１：ウサギグロビンの製造
５羽の麻酔したウサギから、心臓穿刺によって採血する。その血液を、それを凝固させないように、ヘパリンの存在下またはクエン酸ナトリウムの存在下で回収する。２１０ｍｌの血液をこのように得、それを２５００ｒｐｍで３０分間遠心分離する。血漿を含有する上澄みをピペットで除去し、そしてペレットを、９ｇ／ｌのＮａＣｌを含有し且つｐＨ７．２で緩衝化された３容量のＰＢＳ緩衝液で５回洗浄する。洗浄された最終ペレットに、赤血球を溶解するために、等容量の蒸留水を撹拌しながら加える。その最終懸濁液を、細胞・膜破片を除去するために、１２０００ｒｐｍで遠心分離する。上澄みを、０．２２ミクロンの多孔度を有する酢酸セルロースメンブランを介して濾過する。９７ｇ／ｌのヘモグロビンを含有する８２ｍｌを得る。
【００２４】
そのヘモグロビンを、Tayot及びVeron(1983)によって記載の技法にしたがって、グロビンへと変換する。このヘモグロビン溶液を、１ｍｌの濃塩酸を含有する２７５ｍｌの９６％エタノール中に撹拌しながら注ぎ入れる。そのｐＨを３に調整する。最終濃度は、酸性ｐＨにおいて７４％のエタノールおよび２２ｇ／ｌのヘモグロビンである。３ｇのＣＥＣＡ  Ｌ４Ｓ活性炭を、激しく撹拌しながら４℃で１５分間加える。
【００２５】
その懸濁液を、ペレットの形で活性炭を除去するために、１５０００ｒｐｍで３０分間遠心分離する。脱色された酸グロビンを含有する上澄みを、活性炭微粒子を除去するために、最小の多孔度（０．２ミクロン）までの一連の多孔性メンブランを介して濾過する。濾液を等容量の蒸留水で希釈し、そのｐＨを、ＮａＯＨの添加によって７．４に調整し、そしてグロビンがいっせいに沈殿する。１５時間後、グロビン沈殿物を遠心分離によって回収後、９ｇ／ｌのＮａＣｌを含有し且つｐＨ７．４に緩衝化された３容量のＰＢＳ生理的食塩水で２回洗浄する。５８．２ｇのグロビン沈殿物を、ｐＨ７．４で採取する。その沈殿物を、１〜０．２ｍｍの内径を有するコネクターによって連結された５ｍｌ容量の二つのシリンジの間で、各々のシリンジのプランジャーをもう一方のシリンジ中に沈殿物を通過させるように逐次的に押すことによって逐次的に移動させることにより、均一化する。
【００２６】
最後に、均一化された沈殿物を、１ｍｌシリンジ中に分配する。沈殿したグロビンペースト剤を、２４ｇまたは２７ｇの直径の微細針を介してシリンジから放出することは可能である。ペースト剤中のグロビンの濃度は、３０〜１５０ｍｇ／ｇの値に調整することができる。
【００２７】
実施例２：ヒトグロビンの製造
クエン酸ナトリウム上に得られた２００ｍｌの貯蔵寿命を過ぎたヒト血液を、２５００ｒｐｍで３０分間遠心分離する。血漿を含有する上澄みをピペットで除去し、更に、白血球に相当する表面の白っぽい細胞層を吸引によって取る。赤血球のペレットを、逐次的遠心分離により、９ｇ／ｌのＮａＣｌを含有し且つｐＨ７．２で緩衝化された３容量のＰＢＳ生理的食塩水で５回洗浄する。その最終ペレットに、赤血球を溶解するために、２容量の蒸留水を加える。溶血した懸濁液を、１２０００ｒｐｍで３０分間の遠心分離によって透明にし、０．２ミクロンの多孔度を有するメンブランを介して濾過する。５２ｇ／ｌのヘモグロビンを含有する２１０ｍｌを得、それを４℃で保存する。
【００２８】
２１０ｍｌの等容量の０．１Ｎ  ＨＣｌを４℃で加え、その混合物全体を、４０ｍｌの１Ｎ  ＨＣｌを含有する４ｌのアセトン中に注ぎ入れる。その懸濁液を激しく撹拌し、そしてケミカルフード（chemical hood）下において周囲温度で１時間放置する。アセトン中に溶解したヘムを、多孔性クロスを介する濾過によって除去し、グロビン沈殿物を回収し、酸性アセトン中で洗浄し、空気流下で乾燥させる。
【００２９】
変法では、ヘモグロビン溶液を脱色前に、酸性にするために、種々の無機酸（硫酸、リン酸等）または例えば、酢酸、シュウ酸またはクエン酸などのカルボン酸を、塩酸の代わりに用いることができる。
【００３０】
この方法のもう一つの変法は、ヘモグロビンの酸溶液を、脱色する前に沈殿させることにある。沈殿は、ＮａＣｌを４０〜６０ｇ／ｌの濃度で加えることによって行うことができる。次に、酸ヘモグロビン沈殿物を、十分な容量のエタノールおよび／またはアセトン中への懸濁によって脱色する。色素は、そのエタノールおよび／またはアセトン中に溶解するが、グロビンは、沈殿した形のままであり、多孔性クロスを介する濾過によって採取することができる。全ての水性相の排除によって、この変法は、少なくとも５に等しい因子によって、エタノールおよび／またはアセトンの必要な容量を減少させることを可能にする。
【００３１】
グロビンを、水溶液中に２〜３のｐＨで再溶解させる。その酸性グロビン水溶液を、０．２ミクロンの多孔度を有するメンブランを介して滅菌濾過した後、７．４のｐＨが得られるまでＮａＯＨを加えることによるｐＨの中和によって沈殿させる。中性ｐＨで沈殿したグロビンペースト剤のシリンジは、前の実施例の場合のように製造することができる。酸性グロビン溶液を中和する操作は、ヒアルロン酸ナトリウムをアルカリ性ｐＨで加えることによって行うことができる。この場合、ヒアルロネートで錯体形成し且つ含浸した不溶性グロビンのペースト剤が形成して、きわめて微細な針（３０ｇ直径）を介する注射可能な性状を改善する潤滑機能を与える。
【００３２】
実施例３：ヒトグロビンの他の製造
実施例１の方法を、輸血センターより入手した、貯蔵寿命を過ぎた調製血球ペレットを用いて行う。生体適合性であり且つ注射によって埋め込み可能である沈殿したヒトグロビンのペースト剤を含有するシリンジを得る。
【００３３】
実施例４：０．１Ｍまたは１Ｍ水酸化ナトリウムでのアルカリ性処理を２０℃で１時間行ったヒトグロビンの製造
実施例１または２の方法を、グロビン沈殿物がｐＨ７．４で得られるまで行った後、洗浄を行う。この沈殿物を、再度、３容量の０．１Ｍ〜１Ｍ ＮａＯＨ中に２０℃で撹拌しながら１時間溶解させる。
【００３４】
次に、その溶液を、等容量の同モル濃度のＨＣｌの添加によって中和し、その懸濁液のｐＨを７〜７．４に調整する。次に、グロビン沈殿物を遠心分離によって採取後、前の実施例の場合と同様にＰＢＳ生理的食塩水中で洗浄する。沈殿したグロビンペーストは、ヒアルロン酸または他の生体適合性の粘性且つ潤滑性の製品、すなわち、トリグリセリド類、ポリエチレングリコール、酸化セルロース、キトサン等が加えられていてよく、そしてこれを、シリンジ中に分配し、皮内使用のためのきわめて微細な針を介して得られる製品の注射可能性状が再度示される。グロビンのこのアルカリ性処理は、グロビンの中性ｐＨでの不溶性の性状を有意に修飾することなく、その製品の健康安全保証を改善することを可能にする。
【００３５】
実施例５：沈殿し且つグルタルアルデヒド架橋したグロビンのペースト剤の製造
この処理は、埋め込み剤の再吸収時間を増加させることが可能である。最終グロビン沈殿物を、ＰＢＳ中に２％で懸濁させる。グルタルアルデヒドを、沈殿物１ｇ当たり１ｍｇの濃度で撹拌しながら加える。２０℃で１時間インキュベーション後、グロビン沈殿物を洗浄し、前の実施例の場合と同様にシリンジ中に入れる。
【００３６】
ジアルデヒド類またはポリアルデヒド類などの他の架橋剤、具体的には、酸化デキストラン、酸化デンプンまたは酸化ヒアルロン酸のような、過ヨウ素酸で酸化された多糖類を用いることができる。
【００３７】
実施例６：無菌の沈殿したグロビンペースト剤のシリンジの製造
無菌シリンジを製造するには、０．２ミクロンの多孔度を有するメンブランを介する酸性グロビン溶液の滅菌濾過を行ったらすぐに、無菌条件下で作業する必要がある。これは、１００または１０００クラスの無菌ゾーンの層流フード下において、または軟質ラテックス手袋によって外側から利用できる無菌室で行うことができる。沈殿、沈降による分離、または沈殿物の遠心分離の操作は、保護膜で包まれた無菌容器中で行うべきである。
【００３８】
もう一つの方法は、滅菌濾過された可溶性グロビンの酸性溶液を第一シリンジ中に、そして滅菌濾過された第二のアルカリ性溶液を第二シリンジ中に分配することにある。各々のシリンジのｐＨは、その後のそれらの混合物が中性ｐＨであるように調整する。無菌コネクターによるこれら二つのシリンジの連結は、一方のシリンジからもう一方への逐次的移動によって、中性ｐＨを有する無菌均一混合物を生じることを可能にする。無菌沈殿物を、グロビンの自然沈殿によって得る。得られた懸濁液は、水性相を通過させるだけの微細針を介する押出によって濃縮することができる。濃縮されたグロビンのシリンジへのヒアルロン酸ナトリウムまたはいずれか他の粘性且つ潤滑性の物質の任意の添加は、最終グロビン中にそれを包含することを可能にする。変法において、グロビンの in vivo 再吸収を延長させるために、二つの初期シリンジが混合される時点で架橋剤を包含することも可能である。
【００３９】
実施例７：沈殿したグロビンペースト剤のシリンジの最終滅菌
前の実施例のいずれか一つによって製造されるシリンジの滅菌は、５〜３０キログレイの線量での照射によって行うことができる。種々のグロビン製剤は、照射によるそれらの滅菌の前後に不溶性である。どちらの場合も、中性ｐＨで不溶性のグロビンは、いずれかの酸性水溶液でｐＨ３への酸性化を行うならば、可溶性になる。
【００４０】
実施例８：未修飾可溶性グロビンからの不溶性ゲルまたは薄膜の製造
可溶性グロビンの溶液を、水溶液中にアセトン基剤グロビン粉末を、ｐＨ３、２０〜１２０ｍｇ／ｍｌの濃度で溶解させることによって調製する。この溶液を、０．２μの多孔度を有するメンブランを介して滅菌濾過した後、無菌の１Ｎ ＮａＯＨを撹拌しながら加えることによって、ｐＨ５に調整する。
【００４１】
酸化デンプンをｐＨ３．５で、または別のアルデヒド、または１分子につき少なくとも５個の炭素原子を含有する架橋性ポリアルデヒドを、その混合物に、０．５％の濃度で撹拌しながら５分間加える。その無菌混合物を、１〜３ｍｍの厚みの液体を得るために、平面上に、層流下において２０〜３７℃の温度で注ぐ。
【００４２】
液状生成物は、酸化デンプンによって誘導されるグロビン鎖の架橋によって徐々にゲル化し、その後、薄膜を得ることが望まれる場合、空気流下で脱水する。
材料の初期濃縮による２０〜２００μの厚みの最終薄膜は、βまたはγ照射によって、または酸化エチレンで滅菌することができる。コラーゲン、ゼラチン、ヒアルロン酸、酸化セルロースまたは他の多糖類またはムコ多糖類、ポリエチレングリコール、グリセロール等のような周知の薄膜形成剤を加えることができる。このような添加剤は、薄膜に柔軟性および／または強度を与えることを可能にする。このような薄膜は、皮膚のまたは外科的な創傷を保護するのに、または治癒を促進するのに単独で用いることができるし、または種々のプロテーゼ（血管プロテーゼ、補強格子、多孔性マトリックス）に関連して、それらを不浸透性にする、またはそれらの生体適合性を改善する、または接着性状を抗付着性にする、または他の製品で既に用いられている既知の技法によるこれらプロテーゼの細胞定着を促進することができる。
【００４３】
変法において、前の通りであるが、架橋剤を全く導入することなく、ｐＨ５において可溶性のグロビンから薄膜を生じることが可能である。乾燥した薄膜の最終架橋は、グロビン鎖間に共有結合を生じる最終照射によって行う。次に、このような薄膜は、グロビンのアミノ基と反応性の生体適合性接着剤を用いて、組織に結合させることができる。好ましくは、多糖類の過ヨウ素酸酸化によって得られるポリアルデヒド類を用いることができる。例として、酸化デキストランまたは酸化デンプンが好適である。
【００４４】
実施例９：不溶性グロビン粒子の細胞培養支持物質としての生物医学的用途
前の実施例のいずれか一つによって得られる中性ｐＨでのグロビン沈殿物の無菌ペースト剤を、例えば、細胞培養のためのＤＭＥＭ培地と一緒に、約３７℃の温度でインキュベートする。懸濁液を得、それに、細胞を１００００〜１０００００個／ｍｌの細胞密度で導入する。３０分間撹拌し、そして１時間〜１５時間沈降させることによって分離後、それら細胞は、グロビン粒子に付着し、そして３〜１２日間でありうる培養時間にそれら表面において増殖する。細胞培地は、現在公表されている知識にしたがって、細胞タイプの機能によって選択される。
【００４５】
増殖の最後に、グロビン粒子に付着した細胞懸濁液を、沈降による自然分離によって濃縮することができる。得られた細胞ペースト剤は、シリンジ中に入れ、そしてこの時点で知られている種々の治療的用途のための生体適合性細胞含有埋め込み剤として注射することができる。
【００４６】
この方法による皮膚線維芽細胞の培養は、皮膚治癒用途または結合組織充填用途のための細胞含有埋め込み剤の製造を可能にする。
この方法による軟骨細胞の培養は、表在性の軟骨損傷に充填し且つそれを治癒することから成る用途のための細胞含有埋め込み剤の製造を可能にする。
【００４７】
この方法による骨芽細胞の培養は、骨折または骨喪失に充填し且つそれを治癒することから成る用途のための細胞含有埋め込み剤の製造を可能にする。
同様に、具体的には胚由来の、または臍帯血または骨髄由来の、または種々の成人組織より単離される幹細胞は、これらグロビン粒子上で培養することができるし、しかも細胞含有ペースト剤の注射または埋め込み後に、所望の機能を果たすことができる。
【００４８】
ウイルスまたはその誘導ワクチンの製造のような生物医学的用途については、細胞を、培養後にそれらのグロビン支持物質から分離することができる慣用的なトリプシン処理法を用いることができる。非分解グロビン粒子は、フラスコの底に自然に沈降するので、沈降によって細胞から分離することができる。
【００４９】
ある種の変法において、それらグロビン粒子を、不溶性グロビンを含有する薄膜で置き換えることは可能である。次に、細胞培養は、現在知られているメンブランまたは薄膜上のいずれかの細胞培養の場合と同様に、これら平らな薄膜と接触している培地の連続循環によって行うことができる。この方法は、特定の医学的用途のために埋め込むことができる細胞含有薄膜を生じることも可能にする。
【００５０】
実施例１０：注射可能な不溶性グロビンの埋め込み剤の医学的用途
本発明による製剤、具体的には、実施例１〜７のいずれか一つによって製造される不溶性グロビンのシリンジは、次の非制限用途で用いることができる。
【００５１】
−皮膚のしわおよび欠損の充填。
−泌尿器科における小児の膀胱尿管逆流、女性の緊張性失禁；耳鼻咽喉科における声帯体積補正の用途のための、結合組織または括約筋の充填。
【００５２】
−経皮的動脈創傷のための止血栓。
−グロビンペースト剤を単独でまたは他の治癒用製品または増殖因子と組合せて用いた、皮膚瘢痕形成。
【００５３】
−グロビンを単独でまたは他の治癒用製品、すなわち、リン酸カルシウム、炭酸カルシウム、ヒドロキシアパタイト、ＢＭＰタイプの増殖因子と組合せて用いた、軟骨または骨の瘢痕形成。
【００５４】
−埋め込み剤の定着および分解期間中の細菌発生を抑制するための、抗生物質との組合せ。
本発明の主題は、更に、ヒトまたは動物の身体を処置する方法であって、本発明による注射可能なまたは埋め込み可能な製剤の治療的有効量を、このような製剤への要求を示している患者に投与する少なくとも一つの工程を含む方法である。
【００５５】
これら方法は、具体的には、上述の用途に対応した、非経口によって、外科的に注射または埋め込みによって、または経皮によって行われる投与を含む。
参考文献
【表１−１】
0004642765.tif 000002
【表１−２】
0004642765.tif 000003